(57)【要約】      （修正有）【課題】同軸ケーブルとコネクタとの結合の緊密度を高めた動軸ケーブル用のコネクタを提供する。【解決手段】コネクタヘッド１００と前記コネクタヘッドに結合するスリーブ部材とを含む。前記スリーブ部材は、軸管２１０と、スリーブ２２０と、金属スリーブ２３０とを備え、前記軸管が前記スリーブ内に差し込まれ、前記スリーブの他端に係止部２２１、クッション部２２２および受容部２２３を順次に形成し、前記係止部と前記クッション部との接続箇所に段差部２２４を形成し、前記金属スリーブが前記係止部内２２１に差し込まれ、かつ前記金属スリーブ２３０の一端が前記段差部２２４に当接する。【選択図】図３
0003159878.tif 000002
【実用新案登録請求の範囲】
【請求項１】
コネクタヘッドと、
一端が前記コネクタヘッドに結合し、軸管と、スリーブと、金属スリーブとを備え、前記軸管が前記スリーブ内に差し込まれ、前記スリーブの他端に係止部、クッション部および受容部が順次に形成され、前記係止部とクッション部との接続箇所に段差部が形成され、前記金属スリーブが前記係止部内に差し込まれ、かつ前記金属スリーブの一端が前記段差部に当接されたように構成されたスリーブ部材とを含み、
同軸ケーブルをスリーブ部材の後側から挿入した後に、同軸ケーブルの先端の絶縁層を軸管の先端に合致させ、工具でスリーブ部材に圧力を与えて、前記金属スリーブを前方向に向かって前記段差部に押し付けて、前記係止部を前記スリーブから断裂して分離させて、さらに、クッション部の頂面に沿って持続して前向きに押しながら、同軸ケーブルとコネクタとの結合の緊密度を高めるように前記金属スリーブの規制によってクッション部を下向きに押さえ付けたことを特徴とする同軸ケーブルコネクタの改良構造。
【請求項２】
前記コネクタヘッドは、Ｆ型コネクタヘッド、ＢＮＣコネクタヘッド、ＲＣＡコネクタヘッドおよびＩＥＣコネクタヘッドのうちの何れか一つであることを特徴とする請求項１に記載の同軸ケーブルコネクタの改良構造。
【請求項３】
前記コネクタヘッドに第１凹溝が設けられ、前記スリーブの一端に第２凹溝が設けられ、前記第２凹溝が前記第１凹溝と互いに対応し、前記第１凹溝と前記第２凹溝との間にリング状ワッシャが係合されたことを特徴とする請求項１に記載の同軸ケーブルコネクタの改良構造。
【請求項４】
前記クッション部は、傾斜面のあるガイド溝であり、前記クッション部が前記受容部と前記係止部との間に形成されたことを特徴とする請求項１に記載の同軸ケーブルコネクタの改良構造。
【請求項５】
前記受容部は凹溝であることを特徴とする請求項１に記載の同軸ケーブルコネクタの改良構造。
【考案の詳細な説明】
【技術分野】
【０００１】
本考案は、同軸ケーブルの結合緊密度を高めることが可能な同軸ケーブルコネクタの改良構造に係り、特に、信号伝送機能のあるケーブル、例えば、同軸ケーブルまたは類似構造に関するものである。
【背景技術】
【０００２】
一般に、有線テレビ(CATV)システムや、共同アンテナーテレビシステムは、基幹回線で分配器に接続して、さらに、分配器から支線に出力してユーザ端末に接続され、テレビシステムから伝送された信号を受信する仕組みになっている。該基幹回線は、同軸ケーブルの端末に同軸コネクタが結合され、該同軸コネクタにより分配器に配置されていた。
【０００３】
従来の同軸コネクタは、図６に示すように、Ｆ型同軸ケーブルコネクタであって、挟持用スリーブＡ１と、スリーブＡ１内に同軸配置された柱形部材Ｂと、Ｏ形リングＣと、柱形部材Ｂの回りに配置されたナットＤとを備えるコネクタ本体Ａを含む。同軸ケーブル８０の自由端をコネクタ本体Ａの端末Ａ２に挿入して、絶縁体８２と中芯導体８１とを柱形部材Ｂ内に位置させ、編組線８３およびシース８４を柱形部材Ｂの外部と挟持用スリーブＡ１との間に配置し、押え器具で挟持用スリーブＡ１に圧力を与えて、同軸ケーブル８０のシース８４とシール結合させる。
【０００４】
しかし、このようなコネクタが同軸ケーブルに結合されたときに、押え器具で挟持用スリーブＡ１と同軸ケーブルとを挟んで緊密に結合させる必要があるが、押え器具の使用で、スリーブＡ１と同軸ケーブル８０との間の密接度をよく確認しなければならなく、与えた圧力がほんの少し足りないと、結合の不緊密になるといった欠点に繋がる。
【０００５】
本考案は以上の点に鑑みて成されたもので、同軸ケーブルとコネクタの密接結合および操作便利性を両立できる同軸ケーブルコネクタの改良構造を提供するものである
【考案の概要】
【考案が解決しようとする課題】
【０００６】
本考案の主な目的は、部品が少なく、操作便利、結合緊密度を達成できる同軸ケーブルコネクタの改良構造を提供することにある。
【課題を解決するための手段】
【０００７】
前記目的を達成するためには、本考案による同軸ケーブルコネクタの改良構造は、コネクタヘッドと前記コネクタヘッドに結合するスリーブ部材とを含む。前記スリーブ部材は、軸管と、スリーブと、金属スリーブとを備え、前記軸管が前記スリーブ内に差し込まれ、前記スリーブの他端に係止部、クッション部および受容部が順次に形成され、前記係止部と前記クッション部との接続箇所に段差部が形成され、前記金属スリーブが前記係止部内に差し込まれ、かつ前記金属スリーブの一端が前記段差部に当接されることによって、同軸ケーブルをスリーブ部材の後側から挿入した後に、同軸ケーブルの先端の絶縁層を軸管の縁端に合致させ、工具でスリーブ部材に圧力を与えて、金属スリーブを前方向に向かって前記段差部に押し付けて、前記係止部を前記スリーブから断裂して分離させて、さらに、クッション部の頂面に沿って持続して前向きに押しながら前記金属スリーブの規制によってクッション部を下向きに押し付けさせて、同軸ケーブルとコネクタとの結合の緊密度を高める。
【考案の効果】
【０００８】
本考案による同軸ケーブルコネクタの改良構造は以下の利点を備える。
（１）簡単な構成部材で、結合操作が非常に便利になり、スリーブ部材と同軸ケーブルと結合する時に、密接に結合することができる。
（２）スリーブのクッション部および受容部の特別な設計によって、係止部を断裂、押えする時に、変形による力を分散して操作が便利である。
（３）スリーブの段差部の特別な設計によって、物理上の力学原理の運用に合わせて、スリーブの係止部の断裂が制御され易くなり、所期の目的を達できて、実施が容易である。
【図面の簡単な説明】
【０００９】
【図１】図１は、本考案の斜視図である。
【図２】図２は、本考案の斜視分解図である。
【図３】図３は、本考案の断面図である。
【図４Ａ】図４Ａは、本考案と同軸ケーブルとの組み立て前後の断面図である。
【図４Ｂ】図４Ｂは、本考案と同軸ケーブルとの組み立て前後の断面図である。
【図５Ａ】図５Ａは、本考案におけるスリーブ部材に様々な接続ヘッドが搭載した場合の斜視分解図である。
【図５Ｂ】図５Ｂは、本考案におけるスリーブ部材に様々な接続ヘッドが搭載した場合の斜視分解図である。
【図５Ｃ】図５Ｃは、本考案におけるスリーブ部材に様々な接続ヘッドが搭載した場合の斜視分解図である。
【図６】図６は、従来の同軸ケーブルコネクタと同軸ケーブルとの組み立て後の断面図である。
【考案を実施するための形態】
【００１０】
本考案の他の特徴及び具体的な実施例について、以下に添付した図面を参照しながら詳しく説明する。
【００１１】
本考案の特徴及び技術内容を深く且つ具体的な理解できるため、以下に本考案に関わる詳しい説明及び添付図面を参照するが、それらの添付図面が参考及び説明のみに使われ、本考案の主張範囲を狭義的に局限するものではないことは言うまでもないことである。
【００１２】
図１〜図３を参照すると、本考案は、コネクタヘッド１００とスリーブ部材２００とを含む。
本実施例のコネクタヘッド１００は、Ｆ型コネクタヘッドを説明する。該コネクタヘッド１００の外縁の一端は、六角体に形成され、六角体の内部に第１凹溝１１０が設けられ、該コネクタヘッド１００の内壁面にめすねじ１２０およびフランジ１３０が設けられている。
コネクタヘッド１００は、ＢＮＣコネクタヘッドや、ＲＣＡコネクタヘッドまたはＩＥＣコネクタヘッドであっても良い（図５Ａから図５Ｃ）。
【００１３】
スリーブ部材２００は、軸管２１０と、スリーブ２２０（本実施例では、プラスチック材質であるが、これに限られず）と、金属スリーブ２３０とを備える。
軸管２１０がスリーブ２２０内に差し込まれ、軸管２１０が軸孔２１１を有し、軸管２１０の後端に複数のフック部２１２を有する。
スリーブ２２０の一端に第２凹溝２２５およびストッパ部２２６が設けられる。第２凹溝２２５がコネクタヘッド１００の第１凹溝１１０に対応し、かつ第１凹溝１１０と第２凹溝２２５との間にリング状ワッシャ２４０が係合され、スリーブ２２０の他端に係止部２２１、クッション部２２２および受容部２２３（本実施例では、凹溝）が順次に形成される。クッション部２２２は、傾斜面のあるガイド溝であり、クッション部２２２が係止部２２１と受容部２２３との間に形成される。係止部２２１とクッション部２２２との接続箇所に段差部２２４が形成される。
金属スリーブ２３０がスリーブ２２０内に差し込まれ、かつ金属スリーブ２３０の一端がスリーブ２２０の段差部２２４に当接されている。
【００１４】
コネクタヘッド１００の六角体後端がスリーブ２２０のストッパ部２２６に当接され、コネクタヘッド１００のフランジ１３０がスリーブ２２０の先端に当接される。
【００１５】
図３から図４Ｂを参照すると、使用時に、同軸ケーブル４００の編組線４３０を剥がしてから、スリーブ部材２００の後側から軸管２１０の軸孔２１１に挿入した後に、同軸ケーブル４００の中芯導体４１０および絶縁層４２０を軸孔２１１に位置させて絶縁層４２０を軸管２１０の先端に合致させ、同軸ケーブル４００の編組線４３０およびシース４４０を軸管２１０とスリーブ２２０との間に配置させ、工具でスリーブ部材２００に圧力を与えて、金属スリーブ２３０を前方向に向かって段差部２２４に押し付けて（剪断力破裂点）、係止部２２１をスリーブ２２０から断裂して分離させる。
さらに、クッション部２２２の頂面に沿ってスリーブ２２０の受容部２２３を持続して前向きに押し付けながら金属スリーブ２３０の規制によってクッション部２２２を下向きに押し付けて、同軸ケーブル４００の編組線４３０およびシース４４０と軸管２１０のフック部２１２とを緊密に結合させ、同軸ケーブル４００とコネクタとの結合の緊密度を高める。
【００１６】
以上のように、本考案による同軸ケーブルコネクタの改良構造は、以下の利点を備える。
１、簡単な構成部材で、結合操作上により便利になり、スリーブ部材と同軸ケーブルと結合する時に、密接結合の効果に達成できる。
２、該スリーブのクッション部および受容部の特別な設計によって、係止部を断裂、押えする時に、変形による力を分散させ、操作便利な効果に達成できる。
３、該スリーブの段差部の特別な設計によって、物理上の力学原理の運用に合わせて、スリーブの係止部の断裂が制御され易くなり、予期目的に達し、実施容易の効果に達成できる。
【００１７】
しかし、前記に開示された構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【符号の説明】
【００１８】
１００・・・・・コネクタヘッド
１１０・・・・・第１凹溝
１２０・・・・・めすねじ
１３０・・・・・フランジ
２００・・・・・スリーブ部材
２１０・・・・・軸管
２１１・・・・・軸孔
２１２・・・・・フック部
２２０・・・・・スリーブ
２２１・・・・・係止部
２２２・・・・・クッション部
２２３・・・・・受容部
２２４・・・・・段差部
２２５・・・・・第２凹溝
２２６・・・・・ストッパ部
２３０・・・・・金属スリーブ
２４０・・・・・リング状ワッシャ
４００・・・・・同軸ケーブル
４１０・・・・・中芯導体
４２０・・・・・絶縁層
４３０・・・・・編組線
４４０・・・・・シース
Ａ・・・・・・・コネクタ本体
Ａ１・・・・・・挟持用スリーブ
Ａ２・・・・・・端末
Ｂ・・・・・・・柱形部材
ＣＯ・・・・・・形リング
Ｄ・・・・・・・ナット
８０・・・・・・同軸ケーブル
８１・・・・・・中芯導体
８２・・・・・・絶縁体
８３・・・・・・編組線
８４・・・・・・シース
【図１】
0003159878.tif 000003
【図２】
0003159878.tif 000004
【図３】
0003159878.tif 000005
【図４Ａ】
0003159878.tif 000006
【図４Ｂ】
0003159878.tif 000007
【図５Ａ】
0003159878.tif 000008
【図５Ｂ】
0003159878.tif 000009
【図５Ｃ】
0003159878.tif 000010
【図６】
0003159878.tif 000011